(57)【要約】【課題】スーパーコンティニューム光源の寿命を長くする。【解決手段】本発明は、コア材からなるコアと、クラッド材からなるクラッドとを含む光ファイバに関する。この光ファイバは、非線形の微小構造光ファイバである。この微小構造光ファイバは、コア材と、任意でクラッド材とをロードする工程を含む方法によって得ることができ、光ファイバの寿命は高パルスアプリケーションにおいて延長され得る。【選択図】図６
2020074032.tif 000002
【特許請求の範囲】
【請求項１】
コア材を含むコアと、クラッド材を含むクラッドとを備える光ファイバであって、前記光ファイバは非線形微細構造の光ファイバであり、前記コアの少なくとも一部はシリカであってゲルマニウムの含有が０．１ａｔ％未満であり、
前記コア材と、任意で前記クラッド材とは、水素と重水素のうちの少なくとも一方を含む、
光ファイバ。
【請求項２】
水素と重水素のうちの少なくとも一方が前記コア材に化学的に結合するのに適したロード条件下で、前記光ファイバが水素と重水素のうちの少なくとも一方にさらされる、
請求項１に記載の光ファイバ。
【請求項３】
前記ロード条件がａ）上昇した温度Ｔ、ｂ）上昇した圧力Ｐ、ｃ）その後に行われる照射のうちの少なくとも一つを含む、
請求項２に記載の光ファイバ。
【請求項４】
上昇した前記温度Ｔが８０°Ｃ以上、または１００°Ｃ以上、または１２０°Ｃ以上、または１４０°Ｃ以上、または１６０°Ｃ以上、または１８０°Ｃ以上、または２００°Ｃ以上、または２２０°Ｃ以上、または２４０°Ｃ以上、または２６０°Ｃ以上、または２８０°Ｃ以上、または３００°Ｃ以上、または３５０°Ｃ以上、または４００°Ｃ以上、または４５０°Ｃ以上、または５００°Ｃ以上である、
請求項３に記載の光ファイバ。
【請求項５】
上昇した前記圧力Ｐが１０バール以上、または２５バール以上、または５０バール以上、または７５バール以上、または９０バール以上、または１２０バール以上、または１６０バール以上、または２００バール以上、または５００バール以上、または１０００バール以上、または２０００バール以上である、
請求項３または４に記載の光ファイバ。
【請求項６】
光ファイバ形成前、光ファイバ形成時、光ファイバ形成後、および光ファイバ使用後のうちの少なくとも一つにおいて、前記コア材と任意で前記クラッド材とは、水素と重水素のうちの少なくとも一つでロードされる、
請求項１〜５のいずれか一項に記載の光ファイバ。
【請求項７】
前記光ファイバは、水素と重水素のうちの少なくとも一方にさらされた後にアニールされている、
請求項２〜６のいずれか一項に記載の光ファイバ。
【請求項８】
前記光ファイバはシリカ繊維であり、少なくとも前記コアの全体がシリカであるか、または前記コアの全体と前記クラッドの一部もしくは全部がシリカである、
請求項１〜７のいずれか一項に記載の光ファイバ。
【請求項９】
前記光ファイバはさらに、ポリマ被覆を備える、
請求項１〜８のいずれか一項に記載の光ファイバ。
【請求項１０】
前記光ファイバが結合水素と、相応するイオンとのうちの少なくとも一方に対して、結合重水素を原子で１％以上、または１０％以上、または１００％以上、または１００００％以上含む、
請求項１〜９のいずれか一項に記載の光ファイバ。
【請求項１１】
前記コア材と任意で前記クラッド材とは、結合水素と結合重水素のうちの少なくとも一方を０．１ａｔ％、または１ａｔ％、または５ａｔ％、または１０ａｔ％、または２０ａｔ％、または５０ａｔ％を超えて含む、
請求項１〜１０のいずれか一項に記載の光ファイバ。
【発明の詳細な説明】
【技術分野】
【０００１】
本発明は特に、コア材からなるコアと、クラッド材からクラッドとを含む非線形の微細構造光ファイバに関する。
【背景技術】
【０００２】
最近、微細構造光ファイバ、フォトニック結晶光ファイバ（ＰＣＦ）、ホーリー光ファイバと呼ばれる光ファイバが開発されている（このような光ファイバで特にフォトニックバンドギャップ光ファイバ（ＰＢＧ）と呼ぶものもある）。フォトニック結晶光ファイバは、光ファイバの長手方向に沿って一連のホールが埋設された透明材からなるクラッドで構成される（非特許文献１）。ホールは、通例横方向に周期的に配列され、クラッドの他の部分よりも低い屈折率を有する材料で充填される。光ファイバの中心は、通例クラッドの周期性を中断させる透明領域を含む。この領域は、多くの場合光ファイバのコアとして機能する。しかし原理上、この領域は断面の中心になくてもよい。光ファイバの断面は通例、（任意で空気または気体で充填された）ホールを含むクラッド領域で囲まれ、コア材からなるコア領域と、クラッドの背景材に埋設された固体状または液体状の微細構造要素とを含む。いずれの領域も、光ファイバの長手方向に伸展する。コアは通例、光ファイバの動作波長の光の８０％以上を案内する。一般に、コアとクラッドはいずれも純石英シリカからなり、ホールは空気で充填されている。フォトニック結晶光ファイバの変形例として、ホールの代わりに、別の材料からなるロッドを横方向に配置するものがある。このような光ファイバは、たとえば特許文献１に開示されている。特許文献１には、ホールを横方向に配置したフォトニック結晶光ファイバも幾つか開示されている。
【０００３】
フォトニック結晶光ファイバ型は通常、ロッド状のユニットから製造される。ロッド状のユニットを積み重ねてプリフォームが形成され、一つまたは複数の工程を経て最終的な光ファイバが形成される。非特許文献２には、チューブを積み重ねることによって形成された毛細管のロッドからプリフォームを製造する方法が開示されている。フォトニック結晶光ファイバの製造方法は、非特許文献３にも記載されている。
【０００４】
特許文献２には、微小構造光ファイバのプリフォーム製造方法が開示されている。この製造方法では、管内に複数の長尺要素を互いに平行に置き、前記管のうちの少なくとも一部をシリカ含有ゾルで充填したあと、乾燥し、焼結する。
【０００５】
微細構造光ファイバは、比較的新しい技術分野であり、導波路の特性を比較的自由に設計することができる。このような光ファイバは通例、光ファイバの長手方向に伸展するパターンを有する純シリカ（ホールやドープされたガラスであることが多い）からなる。設計に自由度があるため、光ファイバ固有の非線形特性が求められる用途に興味深い光ファイバを作ることができる。このような用途の一つとして、光ファイバ光源によって広いスペクトル出力を製造可能なスーパーコンティニューム発生がある。微小構造光ファイバにおけるスーパーコンティニューム（ＳＣ）発生は、空間的にコーヒーレントな広帯域光（白色光またはスーパーコンティニューム光という）の光源として、ここ数年研究されてきた。このような光源の新用途が継続的に発見される一方、その幾つかは蛍光顕微鏡法、レーザ精密分光法、および光コヒーレンストモグラフィ（ＯＣＴ）などとして分類されている。スペクトル可視部分における高輝度の照射は、共焦点蛍光顕微鏡法においては特に重要である。しかし、スペクトルの短波長部分において出力が不十分なため、この領域においてはスーパーコンティニューム光源の潜在能力が十分に発揮されないままである。本明細書に示す実験は、高出力で可視のスーパーコンティニューム発生に焦点を当てた。
【０００６】
現在までのほとんどの研究は、非線形光ファイバをフェムト秒（ｆｓ）レーザでシードすることを基に行われてきたが、ナノ秒レーザやピコ秒（ｐｓ）レーザを用いたスーパーコンティニューム発生も実証されてきた。後者は、高い繰返率と効果的なスーパーコンティニューム発生を維持しながら、大幅にコストを低減し、システムを簡素化している。また、ピコ秒領域においてスペクトル的に一層均一なスーパーコンティニュームスペクトルを製造することが通常可能である。ピコ秒領域においては、より強力なシードソースが使用可能であり、そのため光ファイバの損傷閾値未満でありながら、より強力なスーパーコンティニュームが得られる。総じてピコ秒システムは、光学研究室外の現実世界での応用に魅力的であることが多い。
【先行技術文献】
【特許文献】
【０００７】
【特許文献１】国際公開第００/３７９７４号
【特許文献２】国際公開第０３/０７８３３８号
【非特許文献】
【０００８】
【非特許文献１】Ｊ．Ｃ．Ｋｎｉｇｈｔ等、「Ｏｐｔ．Ｌｅｔｔ．２１」、１９９６年、１５４７頁：「Ｅｒｒａｔａ：Ｏｐｔ．Ｌｅｔｔ．２２」、１９９７年、４８４頁
【非特許文献２】Ｔ．Ａ．Ｂｉｒｋｓ等、「２Ｄ  Ｐｈｏｔｏｎｉｃ  ｂａｎｄ  ｇａｐ  ｓｔｒｕｃｔｕｒｅｓ  ｉｎ  ｆｉｂｒｅ  ｆｏｒｍ」、Ｐｈｏｔｏｎｉｃ  Ｂａｎｄ  Ｇａｐ  Ｍａｔｅｒｉａｌｓ、Ｋｌｕｗｅｒ、１９９６年、
【非特許文献３】Ｂｊａｒｋｌｅｖ、Ｂｒｏｅｎｇ、Ｂｊａｒｋｌｅｖ、「Ｐｈｏｔｏｎｉｃ  ｃｒｙｓｔａｌ  ｆｉｂｅｒｓ（第４章）」、Ｋｌｕｗｅｒ  Ａｃａｄｅｍｉｃ  Ｐｒｅｓｓ、２００３年、１１５頁〜１３０頁
【発明の概要】
【発明が解決しようとする課題】
【０００９】
スーパーコンティニューム光源の平均的な出力とスペクトル密度、およびスーパーコンティニュームの幅の限界が、非線形光ファイバの損傷閾値である。最大出力またはパルスエネルギーが、バルクガラスもしくはガラスと空気との界面損傷閾値よりも大きい場合、入力の小面または光ファイバの最初の数ミリメートルが潰れることがあり、システムに突発故障を生じる。最大出力またはパルスエネルギーがこの閾値未満である時、非線形の微細構造光ファイバが時間とともに低下し得ることが、本発明者らによって観察された。この低下は通例、時間経過とともに見られる可視出力の低下として観察される。商用アプリケーションにおいて、スーパーコンティニューム光源の寿命は長いことが重要であり、通例このような光ファイバの低下は受け入れ難い。
【課題を解決するための手段】
【００１０】
本発明の目的は、上記のような低下をなくした、もしくは許容レベルまで抑えた非線形微細構造の光ファイバを提供することにある。
本発明の目的は、添付の特許請求の範囲と以下に記載される発明によって達成される。
【００１１】
請求項１に定義する本発明の目的は、コア材からなるコアと、クラッド材からなるクラッドとを含む光ファイバであって、前記光ファイバは、非線形の微小構造光ファイバであり、前記微小構造光ファイバは、水素と重水素のうちの少なくとも一方によって、前記コア材と、任意で前記クラッド材とをロードするロード工程を含む製造方法で得られる光ファイバによって達成される。このような光ファイバは、高い最大出力でパルスを案内する用途において、長寿命に適した特性を有し得る。
【００１２】
重水素のロードは、いわゆる水バンド（ｗａｔｅｒ−ｂａｎｄ）による吸収を克服するために、本技術分野において適用されることがある。水バンドとは、海底通信ケーブルなどで見られるように、水素の豊富な環境に光ファイバを置くと増加するものである。この問題は、本明細書で記載する問題とは異なる。このため、一実施形態において、光ファイバは５原子パーセント（ａｔ％）未満の、あるいは１ａｔ％未満、０．１ａｔ％未満、０．０１ａｔ％未満、または０．００１ａｔ％未満のＨ２イオンとＨ＋イオンのうちの少なくとも一方を含有する媒質に置かれる環境に適用される。
【００１３】
一実施形態において、非線形光ファイバは少なくとも波長λｍｉｎ〜λｍａｘの範囲の光を案内し、非線形パラメータγを有し、上記範囲のうちの少なくとも一部において、γ×λの積は４×１０−９Ｗ−１以上、あるいは５×１０−９Ｗ−１以上、６×１０−９Ｗ−１以上、７×１０−９Ｗ−１以上、８×１０−９Ｗ−１以上、１０×１０−９Ｗ−１以上、２０×１０−９Ｗ−１以上、または４０×１０−９Ｗ−１以上である光ファイバを意味する。非線形パラメータγは、以下の式で定義される。
【００１４】
【数１】
2020074032.tif 000003
【００１５】
ここで、ｎ２は光ファイバ材料の非線形屈折率、Ａｅｆｆは光ファイバの実用モード面積である。通例、シリカガラスの場合、ｎ２は約２．６×１０−２０ｍ２／Ｗである。
一実施形態において、非線形光ファイバは１５５０ｎｍの波長を案内する場合、非線形パラメータγを有し、非線形パラメータγは３×１０−３（Ｗｍ）−１以上、あるいは５×１０−３（Ｗｍ）−１以上、１０×１０−３（Ｗｍ）−１以上、１５×１０−３（Ｗｍ）−１以上、２０×１０−３（Ｗｍ）−１以上、３０×１０−３（Ｗｍ）−１以上、４０×１０−３（Ｗｍ）−１以上、または５０×１０−３（Ｗｍ）−１以上である光ファイバを意味する。
【００１６】
一実施形態において、非線形光ファイバは１０６４ｎｍの波長を案内する場合、非線形パラメータγを有し、非線形パラメータγは５×１０−３（Ｗｍ）−１以上、あるいは１０×１０−３（Ｗｍ）−１以上、１５×１０−３（Ｗｍ）−１以上、２０×１０−３（Ｗｍ）−１以上、３０×１０−３（Ｗｍ）−１以上、４０×１０−３（Ｗｍ）−１以上、または５０×１０−３（Ｗｍ）−１以上である光ファイバを意味する。
【００１７】
一実施形態において、非線形光ファイバは少なくとも波長λｍｉｎ〜λｍａｘの範囲の光を案内し、基本モードのモードフィールド径ＭＦＤが前記範囲のうちの少なくとも一部であり、ＭＦＤ／λの割合が５以下、あるいは４以下、３以下、２以下、または１以下である光ファイバを意味する。
【００１８】
一実施形態において、非線形光ファイバは１５５０ｎｍの波長を案内する場合、１０μｍ以下、あるいは８μｍ以下、６μｍ以下、５μｍ以下、４μｍ以下、３μｍ以下、２μｍ以下、または１μｍ以下のモードフィールド径ＭＦＤを有する光ファイバを意味する。
【００１９】
一実施形態において、非線形光ファイバは１０６４ｎｍの波長を案内する場合、６μｍ以下、あるいは５μｍ以下、４μｍ以下、３μｍ以下、２μｍ以下、または１μｍ以下のモードフィールド径ＭＦＤを有する光ファイバを意味する。
【００２０】
上記の各種実施形態において、波長λｍｉｎ〜λｍａｘの範囲は、３５０ｎｍ〜２０００ｎｍ、９８０ｎｍ〜１５５０ｎｍ、１１００ｎｍ〜１５５０ｎｍ、および１３００ｎｍ〜１４５０ｎｍのうちから選ばれる一つであってもよい。一実施形態において、光ファイバがシングルモードの場合、波長λｍｉｎ〜λｍａｘの範囲は、波長範囲への考慮を制限するように選択する。
【００２１】
好ましい実施形態において、光ファイバはシリカ繊維であり、コアのうちの少なくとも一部はシリカである。好ましくは、少なくともコア全体が、すなわちコア全体およびクラッドの一部もしくは全部がシリカである。微細構造光ファイバは、クラッド内で伸展するホールによって案内されるため、光ファイバは、全体が非ドープのシリカからなる（すなわち、コアとクラッドの両方がシリカからなる）ことが多い。これは、屈折率を変更するために通例ゲルマニウムでコアがドープされている標準のシングルモード通信光ファイバなどとは異なる。このため、一実施形態において、光ファイバのコアはゲルマニウムの含有が１０ａｔ％以下、あるいは５ａｔ％未満、３ａｔ％未満、２ａｔ％未満、０．１ａｔ％未満、０．０１ａｔ％未満、または０．００１ａｔ％未満である。
【００２２】
一実施形態において本発明は、本発明の光ファイバと、供給部とを含む光学システムであって、前記供給部は１００Ｗ／μｍ２以上、あるいは５００Ｗ／μｍ２以上、１０００Ｗ／μｍ２以上、２５００Ｗ／μｍ２以上、５０００Ｗ／μｍ２以上、７５００Ｗ／μｍ２以上、または１００００Ｗ／μｍ２以上の前記光ファイバ内において、最大出力密度のパルスで前記光ファイバを供給するよう構成された光システムに関する。光ファイバにおいてこのような出力密度を生じるパルスは、本出願において高パルスアプリケーションと呼ぶ。
【００２３】
供給部は通例ポンプ光源であり、一つまたは複数の増幅器を備えてもよい。供給部は、原理上光ファイバ内で特定の出力密度を有する光ファイバに対してパルスを供給する光学システムであってもよい。
【００２４】
高い最大出力にさらされるため、本発明の光ファイバの低下は、まったくないかもしくは抑えられる。このため、システムの動作寿命が延長し得る。
一実施形態において、本発明はパルスポンプ光源と、本発明の光ファイバとを含むスーパーコンティニューム光源に関する。このポンプ光源は、１００Ｗ／μｍ２以上、あるいは５００Ｗ／μｍ２以上、１ｋＷ／μｍ２以上、２．５ｋＷ／μｍ２以上、５ｋＷ／μｍ２以上、７．５ｋＷ／μｍ２以上、１０ｋＷ／μｍ２以上、１５ｋＷ／μｍ２以上、または２０ｋＷ／μｍ２以上の光ファイバ内において、最大出力密度でパルスを供給するよう構成され、および／あるいは、ポンプと光ファイバは、少なくとも１０μＷ／ｎｍで少なくとも１オクターブ上の出力スパンとなるよう構成され、および／あるいは、ポンプと光ファイバは、最大変調不安定ゲインΩｍａｘが２０または４０を超えるように構成される。
【００２５】
最大変調不安定ゲインΩｍａｘは、以下の式で得られる。
【００２６】
【数２】
2020074032.tif 000004
【００２７】
ここで、β２はポンプ波長における群速度、Ｐｐｅａｋはポンプの最大出力、γはポンプ波長に関する非線形パラメータである。
一実施形態において、デンマークの会社Ｃｒｙｓｔａｌ  Ｆｉｂｒｅ  Ａ／Ｓから入手可能な非線形光ファイバＳＣ−５．０−１０４０によって、１オクターブを超えるスパンが実現される。１０６４ｎｍでポンプされる最大出力２００Ｗを備えるこの光ファイバを用いることによって、Ωｍａｘ＝２２となる（最大出力２００Ｗは、たとえば５０ＭＨｚ、１００ｍＷの入力信号は１０ピコ秒パルスで得られる）。
【００２８】
少なくとも特定の出力値（ｎｍ波長ごとの）で少なくとも１オクターブに亘る（すなわちスパンする）位相とは、本発明においては、光源からの出力光スペクトルが少なくとも１オクターブスパンし、特定の出力値によってスペクトルの外側限界が定義されることを意味する。スペクトルは複数のホールを有してもよいが、スパンしたスペクトルの２５％を超える部分は、少なくとも特定の出力値を有すると想定される。一実施形態において、スパンしたスペクトルのうちの少なくとも３０％は、あるいは少なくとも４０％、６０％、８０％、９９％、または９９．９％は、少なくとも特定の出力値を有する。
【００２９】
一実施形態において、少なくとも５０μＷ／ｎｍ、あるいは５００μＷ／ｎｍ以上、１ｍＷ／ｎｍ以上、５ｍＷ／ｎｍ以上、または１０ｍＷ／ｎｍ以上で、少なくとも１オクターブに亘ってスパンする。選択した出力限界によって、一実施形態は０．５オクターブ以上、１．５オクターブ以上、または２オクターブ以上に亘ってスパンしてもよい。
【００３０】
一態様において、本発明は、コア材からなるコアと、クラッド材からなるクラッドとを含む微細構造光ファイバの製造方法であって、前記光ファイバは、高パルスアプリケーションにおいて延長した寿命を有し、前記製造方法は、ａ）水素と重水素のうちの少なくとも一方によって、前記コア材と、任意で前記クラッド材とをロードするロード工程と、ｂ）温度Ｔａｎｎｅａｌで時間ｔａｎｎｅａｌの間、任意でアニールする工程とを含む製造方法に関する。
【００３１】
このような製造方法は、本発明の光ファイバの製造に有利に適用してもよい。また、光ファイバの特性に関して記載された特性は、変更すべきところは変更して、光ファイバの製造方法に適用してもよい。
【００３２】
一実施形態において、前記ロード工程は、水素と重水素のうちの少なくとも一方を前記コア材と前記クラッド材のうちの少なくとも一方に化学的に結合させるように、ロード条件下で前記光ファイバの材料を、水素と重水素のうちの少なくとも一方に適切に置くことによって行われ、前記ロード条件は、好ましくはａ）上昇した温度Ｔ、ｂ上昇した圧力Ｐ、ｃ）その後に行われる照射のうち少なくとも一つを含む。
【００３３】
一実施形態において、本発明は、本発明の光ファイバと、本発明の光学システムと、本発明の光源と、本発明によって製造される光ファイバを含む装置とのうち少なくとも一つに関する。一実施形態において、この装置は蛍光顕微鏡法、レーザ精密分光法、光コヒーレンストモグラフィー（ＯＣＴ）などのさまざまな形態のシステムを構成する。
【００３４】
未使用の、あるいはロードしていない同質光ファイバに比べて、通例延長した寿命を有する劣化した光ファイバが再生できることが分かった。このため、一実施形態において、本発明はコア材からなるコアと、クラッド材からなるクラッドとを含む微小構造光ファイバの再生方法に関する。光ファイバは、高パルスアプリケーションにおいてパルス処理されるため、可視で吸収が増加する。この再生方法は、水素と重水素のうちの少なくとも一方を光ファイバにロードするロード工程を含む方法であってもよい。
【００３５】
本明細書で用いられる「含む（備える）」、「からなる」という語は、記載されたある特徴、整数値、工程、または構成部材を特定するものであり、記載された他の特性、整数値、工程、構成部材、またはそのグループが少なくとも一つ以上存在することもしくは追加されることを除外しないものとする。
【図面の簡単な説明】
【００３６】
【図１】従来型微細構造光ファイバの初期動作時（Ａ）と、その３５動作時間後（Ｂ）とに見られる一般のスーパーコンティニュームスペクトルを示す図。可視スペクトルの低減は、光ファイバの劣化を示している。
【図２】光ファイバの位置を関数として、従来型非線形光ファイバの３５動作時間後の減衰を示す図。
【図３】非線形光ファイバの位置を関数として、６３３ｎｍにおける吸収を示す図。
【図４】実験初期（Ａ）、視認できる下降が観察された３５時間後（Ｂ）、および２５０°Ｃまで光ファイバを再度加熱した後（Ｃ）それぞれのスーパーコンティニュームスペクトルを示す図。
【図５】視認できる下降が観察された３５時間後（Ａ）、２５０°Ｃまで光ファイバを加熱した後（Ｂ）、および重水素を光ファイバにロードした後（Ｃ）それぞれのスーパーコンティニュームスペクトルを示す図。
【図６】１６０°Ｃで重水素をロードした場合（Ａ）、８０°Ｃで重水素をロードした場合（Ｂ）、および重水素をロードしなかった場合（Ｃ）それぞれの非線形光ファイバについて、時間を関数として測定した可視出力を示す図。
【図７】重水素をロードする三つの互いに異なる温度（Ａ）と、測定への指数一致（Ｂ）を関数として抽出した寿命を示す図。
【図８】重水素をロードした非線形光ファイバについて、０時間後（Ａ）、１８８時間後（Ｂ）、２６０時間後（Ｃ）、３０５時間後（Ｄ）、および４５０時間後（Ｅ）それぞれの測定スペクトルを示す図。
【図９】ガラス不純物の少ない非線形光ファイバについて、時間を関数として測定した可視出力を示す図。
【発明を実施するための形態】
【００３７】
本発明は、好適な実施形態と図面によって、以下で更に十分に説明される。
図は概略であり、明確のために簡素化したものである。本発明の理解のために不可欠な詳細のみを示し、他の詳細は省略する。
【００３８】
本発明の適用範囲は、以降に記載する詳細な説明から明らかになるであろう。本発明の趣旨と範囲内のさまざまな変更と修正は詳細な説明から当業者に明らかになるため、詳細な説明と具体例は、本発明の好ましい実施形態を示すものであるが、実例としてのみ示される。
【００３９】
測定データに基づき、本発明について以下に説明する。これらから導かれる結論は、根拠となる実験の詳細に限られるものと解釈すべきではなく、本発明によって可能となる結果の実例として理解されたい。
【００４０】
ポンプ光源と非線形微細構造のシリカ繊維とを含むスーパーコンティニューム光源で得られた測定データについて、以下に説明する。平均１５Ｗの入力（最大：２３ｋＷ）を与える８０ＭＨｚの繰返率において、８ピコ秒パルスに１０６４ｎｍで光ファイバをポンプした。光ファイバは、３．５μｍのモードフィールド径を有し、長さは約７ｍであった。
【００４１】
光ファイバの長さは、消費量を維持するには短いことが好ましい。また、スーパーコンティニュームを基にした非線形プロセスによって所望のスペクトルが得られる十分な長さで、かつ最小の長さであることが好ましい。通例、短い光ファイバが短いパルスには十分であるように、光ファイバの長さはパルスの形状によって決まる。一実施形態において、非線形光ファイバの長さは１ｃｍ以上、あるいは１０ｃｍ以上、１ｍ以上、５ｍ以上、８ｍ以上、または１０ｍ以上である。
【００４２】
一実施形態において、非線形微細構造の光ファイバは５０ｍ以下、あるいは３０ｍ以下、または１０ｍ以下である。
図１は、従来型微細構造光ファイバの初期動作時（Ａ）と、その３５動作時間後（Ｂ）とに見られる一般的なスーパーコンティニュームスペクトルを示す。約４５０ｎｍ〜約７５０ｎｍのスペクトル可視部分に見られる減少は、光ファイバの劣化を示している。この減少は、図２に示す実験で更に詳細に調べられた。図２は、光ファイバの位置を関数として、従来型非線形光ファイバの３５動作時間後の減衰を示す。非線形光ファイバ（ＮＬ光ファイバ）の最初の３ｍでＡは測定され、Ｂは３ｍ〜４ｍで、Ｃは４ｍ〜５ｍで、Ｄは５ｍ〜７ｍで測定された。この曲線は、長さ７ｍの参照用非線形光ファイバを差し引くことによって得られた。光ファイバが劣化するため、スペクトル可視部分において非常に大きな吸収が観察された。また、９００ｎｍと１４００ｎｍにおける下降は、非線形光ファイバのシングルモードのカットオフと、非線形光ファイバと参照用光ファイバそれぞれのＯ−Ｈ最大吸収の差とによるものと考えられる。出力が比較的高いポンプパルスとの相互関係によって劣化が生じるという仮定を裏付けるには、ポンプに一層近い位置で吸収されることが求められる。この傾向は、ポンプからの距離が一層遠い部位で採取した光ファイバ部分ほど吸収が落ちることから明らかである。またこの傾向は、指数への一致が見られた部分からの距離を関数として、６３３ｎｍにおける吸収の測定を示す図３からも明らかである。
【００４３】
図４は、実験初期（Ａ）、視認できる下降が観察された３５時間後（Ｂ）、および２５０°Ｃまで光ファイバを再度加熱した後（Ｃ）のスーパーコンティニュームを示す。加熱によって光ファイバは部分的に再生されると思われる。本発明者らは、光ファイバの再生が、ガラスの少なくとも一部の構造を変えるポンプパルスの指標となり得ると仮定した。ガラスが高温になるのを可能にすることによって、ガラスは再び定状態となることができ、光ファイバは少なくとも部分的に再生される。
【００４４】
図５は、視認できる下降が観察された３５時間後、２５０°Ｃまで光ファイバを加熱した後、および重水素を光ファイバにロードし、その後アニールした後のスーパーコンティニュームスペクトルを示す。重水素をロードすることによって、明らかに光ファイバは再生された。スペクトルには視認できる下降がなく、初期のスペクトル（図４を参照）と類似したものだった。
【００４５】
本実施形態において、光ファイバには重水素をロードすることが好ましい。これは、１４００ｎｍ付近で吸収が最大になると知られているＯ−Ｈ結合をなす光ファイバにおいて、水素と酸素が結合可能であるためである。このような吸収は、本実施形態には好ましくない。しかし、このような吸収が有意でない場合もしくは好ましい場合、特に水素が重水素より安価である場合の用途には好ましい。
【００４６】
図６は、互いに異なる条件下で重水素をロードした結果を示す。互いに異なる条件で重水素をロードした３つの同質非線形光ファイバについて、時間を関数として可視出力を測定した。重水素をロードした光ファイバの寿命は、ロードしなかった光ファイバに比べて大幅に延長した。すべての光ファイバに対し、約１００％の重水素を圧力１００バール（１バール＝１０００００Ｐａ）でロードした。光ファイバへのロードは、ある長さの時間、特定温度で高い部分圧力を有する重水素または水素に光ファイバを置くことによって行われることが好ましい。
【００４７】
図６は、１６０°Ｃで重水素をロードした場合（Ａ）、８０°Ｃで重水素をロードした場合（Ｂ）、および重水素をロードしなかった場合（Ｃ）の３つの同質非線形光ファイバについて、時間を関数として測定した可視出力を示す。重水素をロードした光ファイバの寿命は、ロードしなかった光ファイバに比べて、少なくとも２倍増幅した。すべての光ファイバに対し、約１００％の重水素を圧力１００バールでロードした。
【００４８】
図７は、図６に示した寿命を、重水素をロードする３つの互いに異なる温度（Ａ）と、測定への指数一致（Ｂ）とを関数として示す。この例において、寿命は可視における光の出力が３０％減少した場合に定義したものである。用途によっては、可視における光吸収の減少が４０％を超える場合、あるいは５０％、７０％、８０％、または９０％を超える場合に定義してもよい。可視光は５００ｎｍ〜７００ｎｍの範囲の光の整数値として定義してもよい。あるいは一つまたは複数の波長値を、６５０ｎｍおよび／または６３３ｎｍにおける吸収として指定してもよい。温度を関数としてロードした水素を測定した結果、ロード温度とともに指数関数的に寿命が増加することがはっきり示された。このような温度依存に基づき、光ファイバの寿命増加は材料（この場合、シリカガラス）への重水素結合によること、また、これを生じさせるのに必要な活性化エネルギーを供給する役割を温度が担っていることが推測される。あるいはこのような化学工程が誘発される場合、十分に高い圧力が発生し得る。最後に、材料への重水素の拡散と同時にもしくは拡散後に行われる照射による活性化も、重水素結合を可能にすると推測される。このため、好ましい実施形態において、光ファイバへのロードは、水素および／または重水素を前記光ファイバ材料のコア材とクラッド材のうちの少なくとも一方へ化学的に結合させるのに適切なロード条件下で、光ファイバを水素および／または重水素に置くことによって行われる。このロード条件とは、ａ）上昇した温度Ｔ、ｂ）上昇した圧力Ｐ、および／またはｃ）その後に行われる照射のうち少なくとも一つを含むことが望ましい。これによって一実施形態において、ロードした材料は０．１原子パーセント（ａｔ％）を超える、あるいは１％、５％、１０％、２０％、または５０％を超える結合水素および／もしくは結合重水素を含むように、光ファイバは増量の水素および／または重水素を含む。
【００４９】
一実施形態において、温度Ｔは上記の結合が可能となるように８０°Ｃ以上まで上昇される。あるいは温度Ｔは１００°Ｃ以上、１２０°Ｃ以上、１４０°Ｃ以上、１６０°Ｃ以上、１８０°Ｃ以上、２００°Ｃ以上、２２０°Ｃ以上、２４０°Ｃ以上、２６０°Ｃ以上、２８０°Ｃ以上、３００°Ｃ以上、３５０°Ｃ以上、４００°Ｃ以上、４５０°Ｃ以上、または５００°Ｃ以上まで上昇される。
【００５０】
非線形光ファイバは、クラッドに対するポリマ被覆を含んでもよく、含まなくてもよい。非線形光ファイバがポリマ被覆を含む場合、重水素および／または水素をロードするロード温度は、ポリマの融点未満または軟化点未満に維持されることが好ましい。重水素のロード温度上昇の上限は、光ファイバの被覆によって決定してもよい。高温度の被覆によって、重水素のロード温度は２５０°Ｃ以上まで可能となり、これによって大幅に寿命が向上される。あるいは被覆なしの光ファイバも製造可能であり、この場合、非常に高いロード温度（たとえば５００°Ｃまで、または５００°Ｃ以上）が可能となる。あるいはコア材（および任意でクラッド材）をロードするロード工程は、光ファイバ形成工程前または光ファイバ形成工程時（すなわち被覆前）であってもよい。原理上、これらは他の被覆にも適用可能である。
【００５１】
化学反応時間は、温度および／または圧力に依存すると予測されるが、ロード時間は、少なくとも熱平衡が生じるのに十分な時間であることが好ましい。
温度も同様に、一実施形態において、圧力Ｐは１０バール以上、あるいは２５バール以上、５０バール以上、７５バール以上、９０バール以上、１２０バール以上、１６０バール以上、２００バール以上、５００バール以上、１０００バール以上、または２０００バール以上である。
【００５２】
上記の照射は、大きな活性化エネルギーを与えるのに適切な照射であれば、原理上どんな照射であってもよい。好ましい実施形態において、スーパーコンティニューム発生に適切なパルス（たとえば「発明の概要」に記載のパルス）は、光ファイバにおける水素結合または重水素結合に適用される。一実施形態において、使用前に残存する未結合水素または未結合重水素が光ファイバから拡散するのを抑えるために、ロードと、任意で行われるアニールとの後、光ファイバは冷却される。光ファイバは、使用前の保管時、または保管期間のうちの少なくとも一部で冷却されることが好ましい。一度使用されると、スーパーコンティニューム光発生において光ファイバをポンプ注入することによって、残存する水素または重水素のうちの少なくとも一部を結合させるのに十分なエネルギーが与えられると推測される。
【００５３】
原理上、光ファイバ形成工程のどの時点において材料をロードしてもよいと推測される。しかし、最終的に延長された光ファイバの寿命は、ロード後の各工程によっては影響されないように考慮する必要がある。このため、一実施形態において、コア材と、任意でクラッド材とのロードは、光ファイバ形成前、光ファイバ形成時、または形成後に行われる。また、図５に示すように、一実施形態において、ロードが使用後に行われるように、光ファイバは少なくとも部分的に再生されてもよい。
【００５４】
上記の水バンドは幾つかの用途には不利になり得る。このため、一実施形態において、ロード後の光ファイバが、結合水素（および／または相応するイオン）に対して結合重水素を（原子で）１％以上、あるいは１０％以上、１００％以上、または１００００％以上含むように、できるだけ少量の水素を光ファイバにロードすることが好ましい。
【００５５】
重水素または水素のロード後、光ファイバ内の未結合重水素または未結合水素の拡散を高めるために、光ファイバをアニールすることが好ましい。光ファイバのアニールは、水素または重水素を再び未結合にするほどのエネルギーは与えないよう、中温で行うことが好ましい。上記に示す各図においては、８０°Ｃでアニールした。室温で光ファイバを保管した場合、２ヶ月〜３ヶ月で未結合水素または未結合重水素は外方拡散し得る。アニールによって、光ファイバを他の光ファイバに接合することができる（水素または重水素をプラズマ加熱する。たとえばこの接合は溶融では爆発の可能性がある）。また、これらの分子が原因で、アニールによって付加された感光度が低下する。約１０００°Ｃを超える非常に高いアニール温度は、未結合水素または未結合重水素を外方拡散させることがあるため、通例望ましくない。このため、一実施形態において、光ファイバの製造方法は、ロードする工程の後に、ロードした材料をアニールする工程を含む。
【００５６】
図８は、重水素をロードした非線形光ファイバについて、０時間後（Ａ）、１８８時間後（Ｂ）、２６０時間後（Ｃ）、３０５時間後（Ｄ）、および４５０時間後（Ｅ）の測定スペクトルを示す。ロードしていない非線形光ファイバについては、５００ｎｍ〜７００ｎｍまでの可視スペクトルにおいて目立った下降が観察されなかった。加えて、非線形光ファイバの寿命を増加させる場合、ロードしていない光ファイバに比べ、重水素をロードすることによって動作時の光ファイバのスペクトル変化が大きく変更することが示された。ロードしていない光ファイバに比べ、劣化は可視スペクトルにおける下降としてではなく、可視出力のなだらかな減少として観察された。短波長の範囲だけが時間とともに大きく変更すると思われる。
【００５７】
一実施形態において、光ファイバの寿命は、重水素と水素をロードしていない他の同質光ファイバの寿命に比べて５０％以上、あるいは１００％以上、２００％以上、５００％以上、１０００％以上、または１００００％以上延長される。スーパーコンティニューム発生に適切なパルスで処理されていない光ファイバの絶対寿命は、用途や、推測としてだが光ファイバコアの特定の材料によって変わり得る。このため、一実施形態において、寿命は１００動作時間を超える。あるいは２００動作時間、２０００動作時間、２００００動作時間、または５００００動作時間を超える。
【００５８】
図９は、ガラス不純物の少ない非線形光ファイバについて、時間を関数として測定した可視出力を示す。不純物レベル、特にガラス内の塩素Ｃｌ原子の量が、光ファイバの寿命に影響すると思われる。少なくともある程度は塩素量が少ないほど、寿命が長くなると思われる。図５に比べて寿命はかなり延長しており、損傷閾値がガラスの不純物レベルによって決定されることを示している。しかし、重水素をロードした光ファイバ（Ａ）の寿命は、ロードしていない光ファイバ（Ｂ）に比べ、依然としてかなり増加している。重水素をロードした光ファイバについて、７５０時間後に見られる出力増加は、ポンプの出力増加によるものである。
【００５９】
コアおよび用途によってはクラッド材における不純物の総数に対する結合重水素または結合水素によって、寿命は延長することが推測される。このため、一実施形態において、光ファイバのコアは固体状のコア（好ましくはシリカ）であり、不純物の総数に対する結合水素および／または結合重水素の割合は１０％以上、あるいは２０％以上、３０％以上、４０％以上、５０％以上、６０％以上、７０％以上、８０％以上、９０％以上、９９％以上、または９９．９％以上である。
【００６０】
本発明は、独立請求項に記載の特徴によって定義される。好適な実施形態は、従属請求項において定義される。特許請求の範囲に記載の参照符号は、特許請求項の範囲を限定するものではない。
【００６１】
幾つかの好適な実施形態を上記に示しているが、本発明はこれらに限定されず、以下の特許請求の範囲に定義する主題の範囲内において、他の方法で実施されてもよいことを重視されたい。特に、非線形微細構造光ファイバの用途を適用することによって本発明を説明しているが、本発明は、高パルスアプリケーションで可視における透過が重要な非線形微小構造光ファイバの他の用途にも適用可能であることを理解されたい。
【図１】
2020074032.tif 000005
【図２】
2020074032.tif 000006
【図３】
2020074032.tif 000007
【図４】
2020074032.tif 000008
【図５】
2020074032.tif 000009
【図６】
2020074032.tif 000010
【図７】
2020074032.tif 000011
【図８】
2020074032.tif 000012
【図９】
2020074032.tif 000013